(57)【要約】【課題】フロントハウジングの構造を複雑化することなく、かつコネクタハウジングの小型化ひいてはコネクタの小型化を達成できる、リテーナの仮係止及び本係止が行えるコネクタを提供する。【解決手段】コネクタ１において、コネクタハウジング１０には、第１本係止突起１６が設けられ、リテーナ４０には、第２本係止突起４６及び仮係止突起４７が設けられ、フロントハウジング３０にはリテーナ抜け止め突起３９が設けられる。リテーナ４０が仮係止位置にあるときに、第２本係止突起４６が第１本係止突起１６に当接してリテーナ４０の挿入方向への移動が規制されるとともに、仮係止突起４７がフロントハウジング３０のリテーナ抜け止め突起３９に係合してリテーナ４０の抜け出し方向への移動が規制される。リテーナ４０が本係止位置に移動すると、第２本係止突起４６が第１本係止突起１６を乗り越えて、リテーナ４０の仮係止位置側への移動が規制される。【選択図】図２
2017076505.tif 000002
【特許請求の範囲】
【請求項１】
前後方向に延びるコンタクト収容キャビティ及び該コンタクト収容キャビティに対して交差する方向に延びるリテーナ挿入孔を有し、前記コンタクト収容キャビティに挿入されたコンタクトを一次係止するコネクタハウジングと、
該コネクタハウジングの前面を覆うように前記コネクタハウジングに取り付けられるフロントハウジングと、
前記コネクタハウジングの前記リテーナ挿入孔に挿入され、前記コネクタハウジングに対し仮係止位置と本係止位置との間を移動可能に取り付けられ、前記仮係止位置にあるときに前記コンタクトの前記コンタクト収容キャビティへの挿入を許容し、前記本係止位置に移動すると前記コネクタハウジングに一次係止された前記コンタクトを二次係止するリテーナとを備え、
前記コネクタハウジングに第１本係止突起を設け、前記リテーナに第２本係止突起及び仮係止突起を設け、前記フロントハウジングにリテーナ抜け止め突起を設け、
前記リテーナが仮係止位置にあるときに、前記リテーナの前記第２本係止突起が前記コネクタハウジングの前記第１本係止突起に当接して前記リテーナの挿入方向への移動が規制されるとともに、前記リテーナの前記仮係止突起が前記フロントハウジングの前記リテーナ抜け止め突起に係合して前記リテーナの抜け出し方向への移動が規制され、
前記リテーナが本係止位置に移動すると、前記リテーナの第２本係止突起が前記コネクタハウジングの前記第１本係止突起を乗り越えて、前記リテーナの仮係止位置側への移動が規制されることを特徴とするコネクタ。
【請求項２】
前記第１本係止突起は、前記コネクタハウジングの側面に外方に向けて突出形成され、
前記リテーナは、前記リテーナ挿入孔に挿入されるリテーナ本体を備え、該リテーナ本体の側面に設けられた突起部から片持ち梁状の係止アームが延びており、
前記第２本係止突起は、前記係止アームの内側面に内方に向けて突出形成されていることを特徴とする請求項１に記載のコネクタ。
【請求項３】
前記仮係止突起は、前記係止アームの先端であって前記第２本係止突起よりも前側の部分に形成され、
前記リテーナ抜け止め突起は、前記フロントハウジングの側壁部の後端縁に後方に向けて突出形成されていることを特徴とする請求項２に記載のコネクタ。
【発明の詳細な説明】
【技術分野】
【０００１】
本発明は、ハウジングの前面を覆うフロントハウジング及びハウジングに一次係止されたコンタクトを二次係止するリテーナを備えたコネクタに関する。
【背景技術】
【０００２】
従来のこの種のコネクタとして、例えば、特許文献１に示すものが知られている。
特許文献１に示すコネクタは、コンタクトを前後方向に挿入可能なキャビティを有するとともにコンタクトを一次係止するコネクタハウジングを備えている。また、コネクタは、コネクタハウジングに対してキャビティと交差するように挿入され、コネクタハウジングに一次係止されたコンタクトを二次係止するリテーナを備えている。また、このコネクタは、コネクタハウジングに前方から装着され、コネクタハウジングの前面を覆うフロントホルダを備えている。このフロントホルダは、相手側コンタクトをコネクタハウジングのキャビティに導くための誘い込み傾斜面を形成するためにコネクタハウジングに取り付けられる。
【０００３】
そして、このコネクタにおいて、リテーナはコネクタハウジングに対し仮係止位置と本係止位置との間を移動可能に取り付けられる。リテーナが仮係止位置にあるときに、コンタクトがコネクタハウジングのキャビティ内に挿入されて一次係止される。また、リテーナが本係止位置に移動すると、コンタクトがリテーナによって二次係止される。
ここで、リテーナをコネクタハウジングに対し仮係止位置と本係止位置との間を移動可能に取り付けるために、リテーナの両側面に形成された逃がし溝内に、リテーナロック小突起とリテーナロック大突起とを有するリテーナロック部を設けている。また、フロントホルダの両側面部の内面に、リテーナロック受け小突起とリテーナロック受け大突起とを有するリテーナロック受け部を設けている。
【０００４】
そして、リテーナが仮係止位置にあるときには、リテーナのリテーナロック小突起がフロントホルダのリテーナロック受け小突起の下側に係合し、リテーナの上方への移動が規制される。また、このとき、リテーナのリテーナロック大突起がフロントホルダのリテーナロック受け大突起の上側に係合し、リテーナの下方への抜け止めがなされる。
また、リテーナが本係止位置に移動すると、リテーナのリテーナロック小突起がフロントホルダのリテーナロック受け小突起を乗り越える。そして、リテーナのリテーナロック小突起がリテーナロック受け小突起の上側に当接すると、リテーナの仮係止位置への戻りが規制されるようになっている。
【先行技術文献】
【特許文献】
【０００５】
【特許文献１】特開２００９−１１０６６９号公報
【発明の概要】
【発明が解決しようとする課題】
【０００６】
しかしながら、この従来の特許文献１に示したコネクタにあっては、以下の問題点があった。
即ち、リテーナをコネクタハウジングに対し仮係止位置と本係止位置との間を移動可能に取り付けるために、リテーナの両側面に形成された逃がし溝内にリテーナロック部を設けている。また、フロントホルダの両側面部の内面にリテーナロック受け部を設けている。このため、リテーナの仮係止及び本係止を、リテーナ以外にフロントホルダに設けた構造により行っているため、フロントホルダの構造が複雑になる、という問題があった。
【０００７】
一方、リテーナをコネクタハウジングに対し仮係止及び本係止をするために、リテーナ及びハウジングに仮係止手段及び本係止手段を設けた場合にも、コネクタハウジングが大型化し、コネクタの小型化が困難であるという問題がある。特に、リテーナの仮係止時においてリテーナの抜け止めを行う部材をコネクタハウジングに設けるとコネクタハウジングが大型化する。
従って、本発明はこの従来の問題点を解決するためになされたものであり、その目的は、フロントハウジングの構造を複雑化することなく、かつコネクタハウジングの小型化ひいてはコネクタの小型化を達成できる、リテーナの仮係止及び本係止が行えるコネクタを提供することにある。
【課題を解決するための手段】
【０００８】
上記目的を達成するために、本発明の一態様に係るコネクタは、前後方向に延びるコンタクト収容キャビティ及び該コンタクト収容キャビティに対して交差する方向に延びるリテーナ挿入孔を有し、前記コンタクト収容キャビティに挿入されたコンタクトを一次係止するコネクタハウジングと、該コネクタハウジングの前面を覆うように前記コネクタハウジングに取り付けられるフロントハウジングと、前記コネクタハウジングの前記リテーナ挿入孔に挿入され、前記コネクタハウジングに対し仮係止位置と本係止位置との間を移動可能に取り付けられ、前記仮係止位置にあるときに前記コンタクトの前記コンタクト収容キャビティへの挿入を許容し、前記本係止位置に移動すると前記コネクタハウジングに一次係止された前記コンタクトを二次係止するリテーナとを備え、前記コネクタハウジングに第１本係止突起を設け、前記リテーナに第２本係止突起及び仮係止突起を設け、前記フロントハウジングにリテーナ抜け止め突起を設け、前記リテーナが仮係止位置にあるときに、前記リテーナの前記第２本係止突起が前記コネクタハウジングの前記第１本係止突起に当接して前記リテーナの挿入方向への移動が規制されるとともに、前記リテーナの前記仮係止突起が前記フロントハウジングの前記リテーナ抜け止め突起に係合して前記リテーナの抜け出し方向への移動が規制され、前記リテーナが本係止位置に移動すると、前記リテーナの第２本係止突起が前記コネクタハウジングの前記第１本係止突起を乗り越えて、前記リテーナの仮係止位置側への移動が規制されることを要旨とする。
【発明の効果】
【０００９】
本発明に係るコネクタによれば、コネクタハウジングに第１本係止突起を設け、リテーナに第２本係止突起及び仮係止突起を設け、フロントハウジングにリテーナ抜け止め突起を設けている。そして、リテーナが仮係止位置にあるときに、リテーナの第２本係止突起がコネクタハウジングの第１本係止突起に当接してリテーナの挿入方向への移動が規制されるとともに、リテーナの仮係止突起がフロントハウジングのリテーナ抜け止め突起に係合してリテーナの抜け出し方向への移動が規制される。また、リテーナが本係止位置に移動すると、リテーナの第２本係止突起がコネクタハウジングの第１本係止突起を乗り越えて、リテーナの仮係止位置側への移動が規制される。このため、リテーナの仮係止及び本係止を、コネクタハウジング、リテーナ及びフロントハウジングに設けた構造によって行うため、フロントハウジングの構造を複雑化することなく、かつコネクタハウジングの小型化ひいてはコネクタの小型化を達成できる、リテーナの仮係止及び本係止が行えるコネクタを提供できる。
【図面の簡単な説明】
【００１０】
【図１】本発明の一実施形態に係るコネクタの斜視図である。但し、図１においては、コンタクト及び電線は図示していない。
【図２】図１に示すコネクタの分解斜視図である。但し、図２においては、コンタクト及び電線は図示していない。
【図３】図１に示すコネクタにおけるフロントハウジングの斜視図である。
【図４】図１に示すコネクタにおけるリテーナを示し、（Ａ）は正面図、（Ｂ）は底面図、（Ｃ）は背面図である。
【図５】図１に示すコネクタを前後方向に沿って切断した断面図であり、リテーナが仮係止位置にある状態を示している。
【図６】図１に示すコネクタを前後方向に沿って切断した断面図であり、リテーナが本係止位置にある状態を示している。
【図７】図１に示すコネクタを左右方向に沿って切断した断面図であり、リテーナが仮係止位置にあり、リテーナの第２本係止突起がコネクタハウジングの第１本係止突起に当接した様子を示している。
【図８】図７における矢印８で示す部分の拡大図である。
【図９】図１に示すコネクタを左右方向に沿って切断した断面図であり、リテーナが仮係止位置にあり、リテーナの仮係止突起がフロントハウジングのリテーナ抜け止め突起に係合した様子を示している。
【図１０】図９における矢印１０で示す部分の拡大図である。
【図１１】図１に示すコネクタを左右方向に沿って切断した断面図であり、リテーナが本係止位置にあり、リテーナの第２本係止突起がコネクタハウジングの第１本係止突起を乗り越えた様子を示している。
【図１２】図１１における矢印１２で示す部分の拡大図である。
【図１３】図１に示すコネクタを左右方向に沿って切断した断面図であり、リテーナが本係止位置にあり、リテーナの仮係止突起がフロントハウジングのリテーナ抜け止め突起から離れた様子を示している。
【図１４】図１３における矢印１４で示す部分の拡大図である。
【発明を実施するための形態】
【００１１】
以下、本発明の実施の形態を図面を参照して説明する。
図１に示すコネクタ１は、コネクタハウジング１０と、フロントハウジング３０と、リテーナ４０とを備えている。
ここで、コネクタハウジング１０は、ハウジング本体１１と、ハウジング本体１１から延びるフード部１２とを備えている。コネクタハウジング１０は、絶縁性の合成樹脂を成形することによって形成される。
ハウジング本体１１は、図１及び図２に示すように、矢印ＡＢで示す前後方向、前後方向に直交する矢印ＣＤで示す左右方向、及び前後方向及び左右方向に直交する矢印ＥＦで示す上下方向に延びる略直方体形状に構成される。ここで、矢印Ａは前方向、矢印Ｂは後方向、矢印Ｃは左方向、矢印Ｄは右方向、矢印Ｅは上方向、及び矢印Ｆは下方向を示し、以下、本明細書において方向はこれを基準として説明する。ハウジング本体１１は、図２、図５及び図６に示すように、前面１１ａ、後面１１ｂ、上面１１ｃ、下面１１ｄ、及び左右一対の側面１１ｅを有する。
【００１２】
ハウジング本体１１には、前後方向に延びる複数のコンタクト収容キャビティ１３が設けられている。これらコンタクト収容キャビティ１３は、図１及び図２に示すように、複数列複数行に上下左右に沿って配置される。また、各コンタクト収容キャビティ１３は、図５及び図６に示すように、ハウジング本体１１の前面１１ａから後面１１ｂにかけて貫通するように形成される。また、各コンタクト収容キャビティ１３には、図５及び図６に示すように、コンタクト２０が挿入される。そして、各コンタクト収容キャビティ１３には、コンタクト収容キャビティ１３に挿入されたコンタクト２０を一次係止するハウジングランス１５が設けられている。
【００１３】
各コンタクト２０は、相手側コネクタ（図示せず）の雄端子（図示せず）を受容して接触するリセプタクル部２１と、電線Ｗが接続される電線接続部２２とを備えている。各コンタクト２０は、導電性金属板を打ち抜き及び曲げ加工することによって形成される。
また、ハウジング本体１１の前後方向略中央部には、各コンタクト収容キャビティ１３に対して交差する方向に延びるリテーナ挿入孔１４が設けられている。リテーナ挿入孔１４は、ハウジング本体１１の下面１１ｄから全てのコンタクト収容キャビティ１３を横断するように延びている。
【００１４】
更に、ハウジング本体１１の左右一対の側面１１ｅには、図２、図７、図８、図１１及び図１２に示すように、一対の第１本係止突起１６が外方に突出形成されている。各第１本係止突起１６は、ハウジング本体１１の側面１１ｅにおいて、リテーナ挿入孔１４よりも後側かつ上下方向やや下寄りの位置に設けられ、前後方向に所定の長さにわたって延びている。また、ハウジング本体１１の左右一対の側面１１ｅの第１本係止突起１６の上側には、一対の本係止突起嵌入溝１７が設けられている。各本係止突起嵌入溝１７は、図２に示すように、後端が第１本係止突起１６の後端と同じ位置となる位置からハウジング本体１１の前面１１ａに至るまで延びている。各第１本係止突起１６及び本係止突起嵌入溝１７の機能については後述する。
また、ハウジング本体１１の左右一対の側面１１ｅには、図２に示すように、フロントハウジング３０の後述するラッチアーム３５のラッチ突起３５ａが係止される一対の係止溝１８が設けられている。各係止溝１８は、本係止突起嵌入溝１７の上側からハウジング本体１１の上面１１ｃに至るまで延びている。
そして、フード部１２は、ハウジング本体１１の後面１１ｂの四辺から後方に延びる枠状に形成されている。
【００１５】
次に、フロントハウジング３０は、コネクタハウジング１０のハウジング本体１１の前面１１ａを覆うようにハウジング本体１１に取り付けられる。フロントハウジング３０は、略矩形平板状の前壁部３１と、前壁部３１の上縁から後方に延びる上壁部３２と、前壁部３１の下縁から後方に延びる下壁部３３とを備えている。また、フロントハウジング３０は、前壁部３１の左右の側縁から後方に延び、上壁部３２及び下壁部３３の両端を連結する一対の側壁部３４を備えている。
ここで、フロントハウジング３０の前壁部３１はハウジング本体１１の前面１１ａを覆い、上壁部３２はハウジング本体１１の上面１１ｃの一部を覆う。また、フロントハウジング３０の下壁部３３はハウジング本体１１の下面１１ｄの一部を覆い、一対の側壁部３４はハウジング本体１１の一対の側面１１ｅの一部を覆う。
【００１６】
そして、下壁部３３及び一対の側壁部３４の前壁部３１からの後方への長さは、上壁部３２の前壁部３１からの後方への長さの約半分程度である。フロントハウジング３０の下壁部３３及び一対の側壁部３４は、図１及び図２に示すように、フロントハウジング３０をハウジング本体１１に取り付けた際に、ハウジング本体１１に形成されたリテーナ挿入孔１４の差込口に重ならない長さに調整される。
そして、各側壁部３４の上下方向略中央部には、片持ち梁状のラッチアーム３５が設けられている。各ラッチアーム３５は、各側壁部３４の後縁から後方に少しだけ延び、後端近傍には内方に突出するラッチ突起３５ａが設けられている。一対のラッチアーム３５のラッチ突起３５ａは、フロントハウジング３０をハウジング本体１１に取り付けた際に、ハウジング本体１１に形成された一対の係止溝１８に係止される。フロントハウジング３０は、絶縁性の合成樹脂を成形することによって形成される。
【００１７】
ここで、フロントハウジング３０の前壁部３１の後面には、図２乃至図４に示すように、複数列複数行に配置された複数のコンタクト収容凹部３６が形成されている。各コンタクト収容凹部３６は、図５及び図６に示すように、フロントハウジング３０をハウジング本体１１に取り付けた際に、ハウジング本体１１に設けられた各コンタクト収容キャビティ１３に整列する。そして、フロントハウジング３０の前壁部３１の前面には、その前面からコンタクト収容凹部３６にかけて貫通する複数の相手側端子挿通用孔３７が形成される。また、前壁部３１の前面の各相手側端子挿通用孔３７の周囲には、相手側コネクタ（図示せず）の雄端子（図示せず）を相手側端子挿通用孔３７に導くための誘い込み傾斜面３８が形成されている。
また、フロントハウジング３０の一対のラッチアーム３５の後端縁（先端縁）３５ｂには、図３に示すように、一対のリテーナ抜け止め突起３９が後方に突出するように形成されている。各リテーナ抜け止め突起３９の機能については、後述する。
【００１８】
次に、リテーナ４０は、図５及び図６に示すように、コネクタハウジング１０のリテーナ挿入孔１４内に下方から挿入される。そして、リテーナ４０は、コネクタハウジング１０に対し図５及び図７乃至図１０に示す仮係止位置と図６及び図１１乃至図１４に示す本係止位置との間を移動可能に取り付けられる。そして、リテーナ４０が仮係止位置にあるときには、図５に示すように、リテーナ４０の後述するコンタクト用貫通孔４２がコンタクト収容キャビティ１３に整列する。これにより、各コンタクト２０のコンタクト収容キャビティ１３への挿入を許容する。また、リテーナ４０が本係止位置にあると、図６に示すように、リテーナ４０の後述するリテーナ本体４１が、コネクタハウジング１０に一次係止されたコンタクト２０のリセプタクル部２１の後側を二次係止する。
【００１９】
ここで、リテーナ４０の仮係止及び本係止を実現するための具体的な構成について説明する。
リテーナ４０は、図２及び図４乃至図６に示すように、コネクタハウジング１０のリテーナ挿入孔１４に挿入可能な略矩形平板状のリテーナ本体４１を備えている。リテーナ４０は、絶縁性の合成樹脂を成形することによって形成される。リテーナ本体４１には、複数列複数行に配置された複数のコンタクト用貫通孔４２が形成されている。各コンタクト用貫通孔４２は、リテーナ本体４１の前後方向に貫通し、図５に示すように、リテーナ４０が仮係止位置にあるときにコンタクト収容キャビティ１３に整列する位置に形成される。
【００２０】
そして、リテーナ本体４１の左右一対の側面４１ａの下端部には、図４に示すように、一対の突起部４３が形成されている。そして、一対の突起部４３の後面には、一対の係止アーム４４が設けられている。各係止アーム４４は、その固定端が各突起部４３の後面に位置し、その固定端から上方に延びる片持ち梁状に形成される。そして、一対の係止アーム４４の固定端は互いに連結部４５によって連結されている。ここで、各係止アーム４４の内側面４４ａの上下方向略中央部には、第２本係止突起４６が内方に突出するように形成されている。この第２本係止突起４６は、係止アーム４４を横断するように前後方向に所定の長さにわたって延びている。また、各係止アーム４４には、前後方向に貫通する上下方向に細長く延びるスリット４４ｂが形成され、第２本係止突起４６が内外方向に変位可能となっている。さらに、各係止アーム４４の上端であって第２本係止突起４６よりも前側の部分には、仮係止突起４７が設けられている。
【００２１】
そして、リテーナ４０のリテーナ本体４１がコネクタハウジング１０のリテーナ挿入孔１４に挿入され、リテーナ４０が仮係止位置にある場合を想定する。このとき、図７及び図８に示すように、リテーナ４０の第２本係止突起４６がコネクタハウジング１０の第１本係止突起１６の下側に当接してリテーナ４０の挿入方向への移動、すなわち上方向への移動が規制される。また、リテーナ４０が仮係止位置にあるときには、図９及び図１０に示すように、リテーナ４０の仮係止突起４７がフロントハウジング３０のリテーナ抜け止め突起３９の上側に係合してリテーナ４０の抜け出し方向、即ち下方向への移動が規制される。これにより、リテーナ４０がコネクタハウジング１０に対し仮係止される。
【００２２】
また、リテーナ４０のリテーナ本体４１の挿入が進行し、リテーナ４０が本係止位置に移動する場合を想定する。このとき、図１１及び図１２に示すように、リテーナ４０の第２本係止突起４６がコネクタハウジング１０の第１本係止突起１６を乗り越えて本係止突起嵌入溝１７に入り込む。これにより、リテーナ４０の仮係止位置側、即ち下側への移動が規制される。第２本係止突起４６が第１本係止突起１６に係合することにより、リテーナ４０がコネクタハウジング１０に対し本係止される。なお、リテーナ４０の更なる上方への移動は、リテーナ４０の第２本係止突起４６が本係止突起嵌入溝１７の上縁に当接することにより規制される。
なお、リテーナ４０が本係止位置にあるときには、図１３及び図１４に示すように、リテーナ４０の仮係止突起４７はフロントハウジング３０のリテーナ抜け止め突起３９に対して上方に離間した位置にある。このため、リテーナ抜け止め突起３９は仮係止突起４７に干渉しない。
【００２３】
以上のように構成されたコネクタ１の組立方法について説明する。
コネクタ１の組立に際し、先ず、図５に示すように、リテーナ４０をコネクタハウジング１０に対し仮係止位置に位置させる。この際に、リテーナ４０のリテーナ本体４１をその上端側を先頭にして、コネクタハウジング１０のリテーナ挿入孔１４に下方側から挿入する。そして、リテーナ４０を、図７及び図８に示すように、各第２本係止突起４６がコネクタハウジング１０の各第１本係止突起１６の下側に係合するまで押し込む。これにより、リテーナ４０が仮係止位置になり、リテーナ４０の挿入方向への移動、すなわち上方向への移動が規制される。また、このとき、図９及び図１０に示すように、リテーナ４０の各仮係止突起４７がフロントハウジング３０の各リテーナ抜け止め突起３９の上側に係合してリテーナ４０の抜け出し方向、即ち下方向への移動が規制される。これにより、リテーナ４０がコネクタハウジング１０に対し仮係止される。
【００２４】
リテーナ４０が仮係止位置にあると、図５に示すように、リテーナ４０の各コンタクト用貫通孔４２がコネクタハウジング１０の各コンタクト収容キャビティ１３に整列する。これにより、各コンタクト２０のコンタクト収容キャビティ１３への挿入が許容される。このため、電線Ｗを接続した各コンタクト２０を、リセプタクル部２１を先頭にしてコネクタハウジング１０の後方から各コンタクト収容キャビティ１３へ挿入する。各コンタクト２０を各コンタクト収容キャビティ１３に挿入すると、各コンタクト収容キャビティ１３に設けられたハウジングランス１５が各コンタクト２０のリセプタクル部２１を一次係止する。
【００２５】
次いで、図６に示すように、リテーナ４０をコネクタハウジング１０に対し本係止位置に移動させる。この際に、リテーナ４０を仮係止位置の状態から更に押し込む。すると、図１１及び図１２に示すように、リテーナ４０の各第２本係止突起４６がコネクタハウジング１０の各第１本係止突起１６を乗り越えて各本係止突起嵌入溝１７に入り込む。第２本係止突起４６は、リテーナ本体４１の側面４１ａから片持ち梁状に延びる係止アーム４４の内側面４４ａに設けられている。このため、第２本係止突起４６は、係止アーム４４が固定端を中心として内外方向に変位することにより、容易に内外方向に変位する。また、第２本係止突起４６が設けられている各係止アーム４４には、前後方向に貫通する上下方向に細長く延びるスリット４４ｂが形成されている。このため、各係止アーム４４自身が容易に弾性変形して第２本係止突起４６が内外方向に容易に変位する。そして、各第２本係止突起４６が各本係止突起嵌入溝１７に入り込むと、リテーナ４０の仮係止位置側、即ち下側への移動が規制される。これにより、リテーナ４０がコネクタハウジング１０に対し本係止される。リテーナ４０の上方への移動は、リテーナ４０の各第２本係止突起４６が各本係止突起嵌入溝１７の上縁に当接することにより規制される。なお、前述したように、リテーナ４０が本係止位置にあるときには、図１３及び図１４に示すように、リテーナ４０の仮係止突起４７はフロントハウジング３０のリテーナ抜け止め突起３９に対して上方に離間した位置にある。
【００２６】
リテーナ４０が本係止位置に移動すると、図６に示すように、リテーナ４０の各コンタクト用貫通孔４２が各コンタクト収容キャビティ１３に対して位置ずれし、リテーナ本体４１が、コネクタハウジング１０に一次係止されたコンタクト２０のリセプタクル部２１の後側を二次係止する。これにより、各コンタクト２０のコネクタハウジング１０からの抜け止めがなされる。
このように、本実施形態のコネクタ１によれば、リテーナ４０の仮係止及び本係止を、コネクタハウジング１０、リテーナ４０及びフロントハウジング３０に設けた構造によって行う。このため、リテーナ４０の仮係止及び本係止を行う構造を、リテーナ４０以外に、フロントハウジング３０のみあるいはコネクタハウジング１０のみに設ける必要はない。これにより、フロントハウジング３０の構造を複雑化することなく、かつコネクタハウジング１０の小型化ひいてはコネクタ１の小型化を達成できる、リテーナ４０の仮係止及び本係止が行えるコネクタ１を提供できる。
【００２７】
また、本実施形態のコネクタ１によれば、第１本係止突起１６は、ハウジング本体１１の側面１１ｅに外方に向けて突出形成されている。また、リテーナ４０は、リテーナ挿入孔１４に挿入されるリテーナ本体４１を備え、リテーナ本体４１の側面４１ａに設けられた突起部４３から片持ち梁状の係止アーム４４が延びている。そして、第２本係止突起４６は、係止アーム４４の内側面４４ａに内方に向けて突出形成されている。これにより、リテーナ４０が本係止位置に移動する場合に、第２本係止突起４６が第１本係止突起１６を乗り越える際に、係止アーム４４が固定端を中心として内外方向（左右方向）に変位する。これにより、第２本係止突起４６は容易に内外方向に変位する。このため、リテーナ４０を仮係止位置から本係止位置に容易に移動させることができる。
【００２８】
更に、本実施形態のコネクタ１によれば、リテーナ４０に設けられる仮係止突起４７は、係止アーム４４の先端であって第２本係止突起４６よりも前側の部分に形成される。一方、フロントハウジング３０に設けられるリテーナ抜け止め突起３９は、フロントハウジング３０の側壁部３４に設けられたラッチアーム３５の後端縁３５ｂに後方に向けて突出形成されている。このため、リテーナ４０の本係止及び仮係止構造を可能にするのに、前後方向においてフロントハウジング３０がリテーナ４０にほとんど重ならない。これにより、フロントハウジング３０の左右方向の幅を小さくでき、コネクタ１を小型化することができる。
【００２９】
以上本発明の実施形態について説明してきたが、本発明はこれに限定されずに種々の変更、改良を行うことができる。
例えば、コネクタハウジング１０に設けられる第１本係止突起１６の設置位置及び形状は、リテーナ４０の仮係止時及び本係止時における請求項１に記載したその機能を果たすものであれば、図示した例に限定されない。
また、リテーナ４０に設けられる第２本係止突起４６の設置位置及び形状も、リテーナ４０の仮係止時及び本係止時における請求項１に記載したその機能を果たすものであれば、図示した例に限定されない。
【００３０】
更に、リテーナ４０に設けられる仮係止突起４７及びフロントハウジング３０に設けられるリテーナ抜け止め突起３９の設置位置及び形状は、リテーナ４０の仮係止時における請求項１に記載したその機能を果たすものであれば、図示した例に限定されない。
また、リテーナ抜け止め突起３９は、フロントハウジング３０の側壁部３４に設けられたラッチアーム３５の後端縁３５ｂに後方に向けて突出形成されているが、フロントハウジング３０の側壁部３４の後端縁から直接後方に向けて延びるように形成してもよい。
また、リテーナ４０のリテーナ挿入孔１４への挿入方向は、下方側から上方側への方向としてあるが、リテーナ挿入孔１４がハウジング本体１１に対して上方が開口するように形成されている場合、上方側から下方側への方向としてもよい。
【符号の説明】
【００３１】
１  コネクタ
１０  コネクタハウジング
１１  ハウジング本体
１１ａ  前面
１１ｅ  側面
１３  コンタクト収容キャビティ
１４  リテーナ挿入孔
１６  第１本係止突起
２０  コンタクト
３０  フロントハウジング
３４  側壁部
３５  ラッチアーム
３５ｂ  後端縁
３９  リテーナ抜け止め突起
４０  リテーナ
４１  リテーナ本体
４１ａ  側面
４３  突起部
４４  係止アーム
４４ａ  内側面
４６  第２本係止突起
４７  仮係止突起
【図１】
2017076505.tif 000003
【図２】
2017076505.tif 000004
【図３】
2017076505.tif 000005
【図４】
2017076505.tif 000006
【図５】
2017076505.tif 000007
【図６】
2017076505.tif 000008
【図７】
2017076505.tif 000009
【図８】
2017076505.tif 000010
【図９】
2017076505.tif 000011
【図１０】
2017076505.tif 000012
【図１１】
2017076505.tif 000013
【図１２】
2017076505.tif 000014
【図１３】
2017076505.tif 000015
【図１４】
2017076505.tif 000016